(57)【要約】【課題】本発明に係る実施形態は、ＴＣと制御所との通信や、ＴＣ同士の通信において、異常が発生した場合に、異常発生場所を特定可能とするＴＣ及びＴＣ用モデムを提供することを目的とする。【解決手段】本発明に係る実施形態にかかる遠方監視制御装置は、演算部ＩＦ８を介して演算手段３から受信した受信演算信号に基づいて診断信号を生成する診断信号生成手段１４と、診断信号生成手段１４により生成された診断信号の信号レベルを示す診断信号レベルを検出する診断信号レベル検出手段１７と、接続先ＴＣから受信した受信信号の信号レベルを示す診断信号レベルを検出する受信レベル検出手段１８とを備えることを特徴とする。【選択図】図２
2012054722.tif 000002
【特許請求の範囲】
【請求項１】
接続先ＴＣと接続するモデムと、前記接続先ＴＣから受信した信号に基づいて演算を行う演算手段を備え、前記モデムは送信回路及び受信回路を備える遠方監視制御装置において、
演算部ＩＦを介して前記演算手段から受信した受信演算信号に基づいて診断信号を生成する診断信号生成手段と、
前記診断信号生成手段により生成された診断信号の信号レベルを示す診断信号レベルを検出する診断信号レベル検出手段と、
前記接続先ＴＣから受信した受信信号の信号レベル又はＳＮ比を示す受信信号レベルを検出する受信レベル検出手段とを備える
ことを特徴とする遠方監視制御装置。
【請求項２】
前記診断信号レベル検出手段により検出された診断信号レベルと、前記受信信号レベル検出手段により検出された受信信号レベルとに基づいて、異常があるか否かを判断する判断手段を備える
ことを特徴とする請求項１記載の遠方監視制御装置。
【請求項３】
前記診断信号生成手段は、前記送信回路に備えられ、
前記診断信号レベル検出手段及び前記受信信号レベル検出手段は、前記受信回路に備えられ、
前記判断手段は、前記診断信号レベル検出手段により検出された診断信号レベルと、前記受信信号レベル検出手段により検出された受信信号レベルとに基づいて、前記演算手段、前記送信回路、前記受信回路、及び前記接続先ＴＣの何れに異常が発生しているかを判断する
ことを特徴とする請求項２記載の遠方監視制御装置。
【請求項４】
前記診断信号レベル検出手段により検出された診断信号レベル及び前記受信レベル検出手段により検出された受信信号レベルを保存するメモリ手段を備える
ことを特徴とする請求項１乃至３のいずれか１項に記載の遠方監視制御装置。
【請求項５】
内部時計を備え、
前記診断信号レベル検出手段は、診断信号レベルを検出した時刻を内部時計から受信し、
前記受信信号レベル検出手段は、受信信号レベルを検出した時刻を内部時計から受信する
ことを特徴とする請求項１乃至４のいずれか１項に記載の遠方監視制御装置。
【請求項６】
前記送信回路又は前記受信回路はソフトウェアにて構成される
ことを特徴とする請求項１乃至５のいずれか１項に記載の遠方監視制御装置。
【発明の詳細な説明】
【技術分野】
【０００１】
本発明に係る実施形態は遠方監視制御装置（以下、ＴＣとする）に関する。
【背景技術】
【０００２】
電力系統に設置された電気設備の遠方（制御所等）からの制御や、この電気設備の動作状態や異常等を制御所への通知を行なうＴＣがある。このＴＣの通信において、異常が発生した場合に、ＴＣの演算部、ＴＣのモデムに設置された送信回路、ＴＣと制御所又は接続先ＴＣを接続する伝送路のいずれに異常が発生しているかを判断するためには、伝送路を切り離し、ＴＣから送信される送信信号を折り返して、その折り返した信号を用いる折り返し試験を行うなど、煩雑な作業を要していた。
【０００３】
また、従来の方法では、ＴＣのモデムに設置された受信回路の異常と、伝送路の異常とは判別することが出来なかった。
【先行技術文献】
【特許文献】
【０００４】
【特許文献１】特開平９−２４４７４０号公報
【発明の概要】
【発明が解決しようとする課題】
【０００５】
上述したように、ＴＣの通信において異常が発生した場合に、異常発生場所を特定する必要がある。
【０００６】
本発明に係る実施形態は、ＴＣと制御所との通信や、ＴＣ同士の通信において、異常が発生した場合に、異常発生場所を特定可能とするＴＣ及びＴＣ用モデムを提供することを目的とする。
【課題を解決するための手段】
【０００７】
本発明に係る実施形態における遠方監視制御装置は、演算部ＩＦを介して演算手段から受信した受信演算信号に基づいて診断信号を生成する診断信号生成手段と、前記診断信号生成手段により生成された診断信号の信号レベルを示す診断信号レベルを検出する診断信号レベル検出手段と、前記接続先ＴＣから受信した受信信号の信号レベルを示す受信信号レベルを検出する受信レベル検出手段とを備えることを特徴とする。
【図面の簡単な説明】
【０００８】
【図１】第１の実施形態におけるＴＣの構成と、他装置との関係を示す図である。
【図２】第１の実施形態におけるモデムの構成を示す図である。
【図３】第１の実施形態における受信演算信号、送信信号及び診断信号の一例を示す図である。
【図４】第１の実施形態における異常が発生した場合の診断信号および受信信号の状態を示す図である。
【図５】第２の実施形態におけるモデムの構成を示す図である。
【図６】第３の実施形態におけるモデムの構成を示す図である。
【発明を実施するための形態】
【０００９】
本発明に係る実施形態について図面を参照して説明する。
【００１０】
（第１の実施形態）
本発明に係るＴＣの第１の実施形態の構成について、図１及び図２を用いて説明する。図１は、ＴＣの構成と、他装置との関係を示す図である。図２は、モデムの構成を示す図である。
【００１１】
ＴＣ１は、モデム２と、演算部３と、外部インターフェース（以下、外部ＩＦとする）４とから構成されている。モデム２は、接続先ＴＣ１´の接続先モデム２´と伝送回線５を介して接続し、現場機器６の状態の監視や制御を行うデータを送受信する。外部ＩＦ４は、メンテナンスＰＣ等の外部機器７と接続し、ＴＣ１のメンテナンスを可能としている。
【００１２】
現場機器６に状態変化（例えば、遮断器が開極した、等）が発生した場合、状態変化に関する状変情報を取得した接続先ＴＣ１´は、接続先モデム２´を介して、モデム２に状変情報を含む伝送データを送信する。伝送データを受信したＴＣ１のモデム２は、演算部３により伝送データから状変情報を抽出し、図示しない中央指令装置へ状変情報を送信する。
【００１３】
また、ＴＣ１が図示しない中央指令装置からの現場機器６の制御情報（例えば、遮断器を開極させる制御、等）を受信した場合、モデム２を介して、接続先モデム２´に制御情報を含む伝送データを送信する。伝送データを受信した接続先ＴＣ１´は、図示しない演算部により伝送データから制御情報を抽出し、現場機器６に制御情報を送信する。制御情報を受信した現場機器は、制御情報に基づいた動作を行う。
【００１４】
次に、図１のモデム２の構成について、図２を用いて説明する。モデム２は、演算部インターフェース（以下、演算部ＩＦとする）８、送信回路９、診断信号分離部１０、診断信号合成部１１、受信回路１２、判断部１９から構成される。
【００１５】
演算部ＩＦ８は、演算部３から受信した受信演算信号を送信信号生成部１３及び診断信号生成部１４に受け渡す。さらに、後述する受信合成信号分離部１６から入力された受信信号及び、判断部１９により判断された判断結果が入力されると、演算部３に送信する。
【００１６】
送信回路９は、送信信号生成部１３と、診断信号生成部１４と、合成部１５とから構成される。送信信号生成部１３は、演算部ＩＦ８を介して演算部３から受信した受信演算信号に基づいて、送信信号を生成する。診断信号生成部１４は、演算部ＩＦを介して演算部３から受信した受信演算信号に基づいて、診断信号を生成する。合成部１５は、送信信号生成部１３により生成された送信信号と、診断信号生成部１４より生成された診断信号とを合成し、診断信号分離部１０に送信合成信号を出力する。
【００１７】
ここで、受信演算信号、送信信号及び診断信号の生成例を図３に示す。ここでは、送信信号生成部１３は、送信信号を受信演算信号の信号レベルが所定受信演算値以上であれば生成し、診断信号生成部１４は、診断信号を受信演算信号の信号レベルが所定受信演算値以下であれば生成している。
【００１８】
診断信号分離部１０は、送信回路９から出力された送信合成信号を、診断信号と送信信号とに分離する。さらに、診断信号を診断信号合成部１１に出力し、送信信号を伝送回線１を介してＴＣ１´に出力する。
【００１９】
診断信号合成部１１は、接続先ＴＣ１´から出力された受信信号と診断信号分離部１０から出力された診断信号とから受信合成信号を合成し、受信回路１２に出力する。
【００２０】
受信回路１２は、受信合成信号分離部１６と、診断信号レベル検出部１７と、レベル・ＳＮ比検出部１８とから構成される。受信合成信号分離部１６は、診断信号合成部１１から出力された受信合成信号を、診断信号と受信信号に分離する。さらに、診断信号を診断信号レベル検出部１７に出力し、受信信号を演算部ＩＦ８及び受信信号レベル・ＳＮ比検出部１８に出力する。
【００２１】
診断信号レベル検出部１７は、受信合成信号分離部１６から分離・出力された診断信号のレベルを検出し、この検出結果を診断信号レベル信号として判断部１９に出力する。
【００２２】
受信信号レベル・ＳＮ比検出部１８は、受信合成信号分離部１６から分離・出力された受信信号のレベル・ＳＮ比を検出し、この検出結果を受信信号レベル・ＳＮ比信号として判断部１９に出力する。
【００２３】
判断部１９は、診断信号レベル検出部１７から出力された診断信号レベル信号と、レベル・ＳＮ比検出部１８から出力された受信信号レベル・ＳＮ比信号とに基づいて、異常があるか否かを判断し、この判断結果を演算部ＩＦ８に出力する。
【００２４】
次に、本実施形態の動作について、図４に示す（ａ）〜（ｄ）の４つの場合に分けて説明する。（ａ）は演算部３に異常が発生している場合、（ｂ）は送信回路９に異常が発生している場合、（ｃ）は受信回路１２に異常が発生している場合、（ｄ）は接続先ＴＣ１´に異常が発生している場合を示している。
【００２５】
（演算部３に異常が発生している場合）
演算部３に異常が発生している場合、演算部ＩＦ８で受信する受信演算信号が所定受信演算値以下となる。そのため、送信信号生成部１３では、送信信号が生成されず、診断信号生成部１４では、常に診断信号が生成されている。合成部１５は、常に生成されている診断信号を診断信号分離部１０に出力し、接続先ＴＣ１´の接続先モデム２´には送信信号を送信せず、診断信号合成部１１に診断信号を送信する。
【００２６】
診断信号を受信した診断信号合成部１１は、接続先ＴＣ１´の接続先モデム２´から受信した受信信号と診断信号とから受信合成信号を合成し、受信合成信号分離部１６にこの受信合成信号を出力する。ここで、接続先ＴＣ１´には異常がないため、診断信号合成部１１が受信する受信信号は正常であり、接続先ＴＣ１´に接続される電気設備の動作状態や異常等の情報を含む。
【００２７】
受信合成信号を受けた受信合成信号分離部１６は、受信信号と診断信号を分離し、診断信号を診断信号レベル検出部１７に出力し、受信信号を受信信号レベル・ＳＮ比検出部１６及び演算部ＩＦ８に出力する。
【００２８】
診断信号を受けた診断信号レベル検出部１７は、診断信号が常時生成されていることを示す異常情報を常に判断部１９に出力する。受信信号を受けた受信信号レベル・ＳＮ比検出部１８は、受信信号が正常であることを示す正常情報を判断部１９に出力する。
【００２９】
判断部１９は、診断信号レベル検出部１７から常に異常情報を受信し、受信信号レベル・ＳＮ比検出部１８から正常情報を受信することから、演算部３に異常が発生していると判断する。
【００３０】
（送信回路９に異常が発生している場合）
送信回路９に異常が発生している場合、送信回路９は演算部３から演算部ＩＦ８を介して受信演算信号を受信するが、診断信号分離部１０には信号を出力しない。そのため、診断信号分離部１０は、接続先ＴＣ１´の接続先モデム２´及び診断信号合成部１１に送信信号及び診断信号を出力しない。
【００３１】
診断信号合成部１１は、接続先ＴＣ１´の接続先モデム２´から受信した受信信号のみを、受信合成信号分離部１６に受信合成信号として出力する。受信合成信号を受信した受信合成信号分離部１６は、受信信号レベル・ＳＮ比検出部１８に受信信号を出力する。ここでは、受信合成信号には診断信号は含まれていないため、受信合成信号分離部１６は診断信号レベル検出部１７に対して診断信号を送信しない。
【００３２】
診断信号レベル検出部１７は、診断信号を受信しないことから、診断信号が無信号であるため、異常であることを示す無信号異常情報を出力し、受信信号を受信した受信信号レベル・ＳＮ比検出部１８は、受信信号が正常であることを示す正常情報を判断部１９に出力する。
【００３３】
判断部１９は、診断信号レベル検出部１７から無信号異常情報を受信し、受信信号レベル・ＳＮ比検出部１８から正常情報を受信したことから、送信回路９に異常が発生していると判断する。
【００３４】
（受信回路１２に異常が発生している場合）
受信回路１２に異常が発生している場合、送信回路９は、演算部３から演算部ＩＦ８を介して受信演算信号を受信する。送信信号生成部１３及び診断信号生成部１４は、受信演算信号に基づいて、夫々、送信信号及び診断信号を生成し、合成部１５に出力する。合成部１５は、受信した送信信号と診断信号とを合成し、送信合成信号を診断信号分離部１０に出力する。
【００３５】
送信合成信号を受信した診断信号分離部１０は、送信信号と診断信号に分離し、送信信号を接続先ＴＣ１´の接続先モデム２´に送信し、診断信号を診断信号合成部１１に出力する。
【００３６】
診断信号合成部１１は、診断信号分離部１０から出力された診断信号と、接続先ＴＣ´の接続先モデム２´から受信した受信信号とから受信合成信号を合成し、受信合成信号分離部１６に出力する。
【００３７】
ここで、受信回路１２には異常が発生しているため、受信合成信号分離部１６、診断信号レベル検出部１７及び受信信号レベル・ＳＮ比検出部１８は動作しない。つまり、受信合成信号分離部１６は演算部ＩＦ８に受信信号を出力せず、診断信号レベル検出部１７及び受信信号レベル・ＳＮ比検出部１８は、夫々、判断部１９に検出結果を出力しない。
【００３８】
判断部１９は、診断信号レベル検出部１７及び受信信号レベル・ＳＮ比検出部１８から検出結果を受信しないため、受信回路１２に異常があると判断する。
【００３９】
（接続先ＴＣ１´及び伝送回線５に異常が発生している場合）
接続先ＴＣ１´に異常が発生している場合、送信回路９は、演算部３から演算部ＩＦ８を介して受信演算信号を受信する。送信信号生成部１３及び診断信号生成部１４は、受信演算信号に基づいて、夫々、送信信号及び診断信号を生成し、合成部１５に出力する。合成部１５は、受信した送信信号と診断信号とを合成し、送信合成信号を診断信号分離部１０に出力する。
【００４０】
送信合成信号を受信した診断信号分離部１０は、送信信号と診断信号に分離し、送信信号を接続先ＴＣ１´の接続先モデム２´に送信し、診断信号を診断信号合成部１１に出力する。
【００４１】
診断信号合成部１１は、接続先ＴＣ２´の接続先モデム２´から受信信号を受信しないため、診断信号分離部１０から出力された診断信号のみを、受信合成信号として受信合成信号分離部１６に出力する。
【００４２】
受信合成信号を受信した受信合成信号分離部１６は、受信合成信号を分離し、診断信号レベル検出部１７に診断信号を出力する。ここでは、受信合成信号には受信信号が含まれていないため、受信合成信号分離部１６は受信信号レベル・ＳＮ比検出部１８に対して受信信号を出力しない。
【００４３】
診断信号を受信した診断信号レベル検出部１７は、診断信号が正常であると判断し、正常情報を判断部１９に出力する。受信信号を受信しない受信信号レベル・ＳＮ比検出部１８は、受信信号が異常であると判断し、異常情報を判断部１９に出力する。
【００４４】
判断部１９は、診断信号が正常であり、受信信号が異常であることをから、接続先ＴＣ１´及び伝送回線５に異常があると判断する。
【００４５】
本実施形態によれば、受信演算信号に基づいて診断信号を生成する診断信号生成部１４と共に、診断信号及び受信信号のレベル又はＳＮ比を検出する診断信号レベル検出部１７、受信信号レベル・ＳＮ比検出部１８演算部３、送信回路９、受信回路１２、接続先ＴＣ１´及び伝送回線５のいずれかに異常が発生した場合、異常発生場所を特定することが可能である。
【００４６】
なお、本実施形態において、判断部１９は、診断信号及び受信信号が、正常、異常、常時異常及び無信号異常のいずれかであるかを判断しているが、その判断結果をＴＣ１に設置した表示部または図示しない中央指令装置に対して、異常通知やログを表示してもよい。さらに、判断部１９から外部ＩＦ４を介して外部機器７に設置された表示部に表示することで、利用者は外部機器７から異常発生場所を特定することが可能となる。
【００４７】
また、判断部１９での判断結果を外部機器７に送信し、外部機器７に設置されたメモリに保存することも可能である。
【００４８】
さらに、本実施形態では、外部機器７を直接ＴＣ１に接続していたが、ネットワークを介して外部機器７とＴＣ１を接続しても良い。ネットワークを介することによって、外部機器７は、ＴＣ１から離れた遠隔地に設置することが可能となり、遠隔地から異常発生場所の特定が可能となる。
【００４９】
（第２の実施形態）
本発明に係るＴＣの第２の実施形態について図５を用いて説明する。本実施形態の構成が第１の実施形態と同一の構成には同一の符号を付し、説明は省略する。
【００５０】
図５に示す本実施形態の構成が、第１の実施形態の構成と異なる点は、モデム２にメモリ２０を追加している点である。
【００５１】
また、診断信号レベル検出部１７は、受信合成信号分離部１６から受信した診断信号レベルを検出し、メモリ２０に診断信号レベル情報を出力し、受信信号レベル・ＳＮ比検出部１８は、受信合成信号分離部１６から受信した受信信号レベル・ＳＮ比を検出し、メモリ２０に出力している。
【００５２】
メモリ２０は、診断信号レベル検出部１７から出力される診断信号レベルと、受信信号レベル・ＳＮ比検出部１８から出力される受信信号レベル・ＳＮ比とを記憶する。
【００５３】
判断部１９は、メモリ２０に記憶された診断信号レベルと、受信信号レベル・ＳＮ比とから、夫々が正常、異常、常時異常及び無信号異常のいずれかを判断する。
【００５４】
本実施形態によれば、第１の実施形態の効果に加え、メモリ２０を設置することにより、ＴＣ１にて診断信号レベル、受信信号レベル・ＳＮ比のログを記録することができ、異常が発生した際に参照することにより、適切な対応を行うことが可能となる。
【００５５】
また、本実施形態において、判断部１９は、診断信号及び受信信号が、正常、異常、常時異常及び無信号異常のいずれかであるかを判断しているが、その判断結果及びメモリ２０に記憶されているログをＴＣ１に設置した表示部に表示してもよい。さらに、判断部１９から外部ＩＦ４を介して外部機器７に設置された表示部に表示することで、利用者は外部機器７から異常発生場所を特定することが可能となる。
【００５６】
また、判断部１９での判断結果及びメモリ２０に記憶されているログを外部機器７に送信し、外部機器７に設置されたメモリに保存することも可能である。
【００５７】
さらに、本実施形態では、外部機器７を直接ＴＣ１に接続していたが、ネットワークを介して外部機器７とＴＣ１を接続しても良い。ネットワークを介することによって、外部機器７は、ＴＣ１から離れた遠隔地に設置することが可能となり、遠隔地から異常発生場所の特定が可能となる。
【００５８】
また、本実施形態では、診断信号レベル検出部１７及び受信信号レベル・ＳＮ比検出部１８によって、夫々検出された診断信号レベル及び受信信号レベル・ＳＮ比をメモリ２０に保存していたが、診断信号レベル検出部１７及び受信信号レベル・ＳＮ比検出部１８が、診断信号及び受信信号が、正常、異常、常時異常及び無信号異常のいずれかであると判断し、その判断結果をメモリ２０に保存しても良い。
【００５９】
（第３の実施形態）
本発明に係るＴＣの第３の実施形態について図６を用いて説明する。本実施形態の構成が第２の実施形態と同一の構成には同一の符号を付し、説明は省略する。
【００６０】
図６に示す本実施形態の構成が、第２の実施形態の構成と異なる点は、モデム２に内部時計２１を追加している点である。
【００６１】
内部時計２１は、診断信号レベル検出部１７及び受信信号レベル・ＳＮ比検出部１８に絶対時刻を送信している。
【００６２】
診断信号レベル検出部１７は、受信合成信号分離部１６から受信した診断信号の診断信号レベルを検出すると共に、診断信号を受信した絶対時刻を内部時計２１から受信し、診断信号レベル及び絶対時刻をメモリ２０に保存している。
【００６３】
同様に、受信信号レベル・ＳＮ比検出部１８は、受信合成信号分離部１６から受信した受信信号の受信信号レベル・ＳＮ比を検出すると共に、受信信号を受信した絶対時刻を内部時計２１から受信し、受信信号レベル・ＳＮ比及び絶対時刻をメモリ２０に保存している。
【００６４】
本実施形態によれば、第２の実施形態の効果に加え、内部時計２１を設置することにより、診断信号レベル、受信信号レベル・ＳＮ比と共に、これらを受信した絶対時刻をメモリ２０に保存することが出来る。そのため、異常が発生した際にこれらを参照することにより、さらに適切な対応を行うことが可能である。
【００６５】
また、本実施形態において、判断部１９は、診断信号及び受信信号が、正常、異常、常時異常及び無信号異常のいずれかであるかを判断しているが、その判断結果及びメモリ２０に記憶されているログをＴＣ１に設置した表示部に表示してもよい。さらに、判断部１９から外部ＩＦ４を介して外部機器７に設置された表示部に表示することで、利用者は外部機器７から異常発生場所を特定することが可能となる。
【００６６】
また、判断部１９での判断結果及びメモリ２０に記憶されているログを外部機器７に送信し、外部機器７に設置されたメモリに保存することも可能である。
【００６７】
さらに、本実施形態では、外部機器７を直接ＴＣ１に接続していたが、ネットワークを介して外部機器７とＴＣ１を接続しても良い。ネットワークを介することによって、外部機器７は、ＴＣ１から離れた遠隔地に設置することが可能となり、遠隔地から異常発生場所の特定が可能となる。
【００６８】
また、本実施形態では、診断信号レベル検出部１７及び受信信号レベル・ＳＮ比検出部１８によって、夫々検出された診断信号レベル、受信信号レベル・ＳＮ比及び絶対時刻をメモリ２０に保存していたが、診断信号レベル検出部１７及び受信信号レベル・ＳＮ比検出部１８が、診断信号及び受信信号が、正常、異常、常時異常及び無信号異常のいずれかであると判断し、その判断結果をメモリ２０に保存しても良い。
【００６９】
上述した第１乃至第３の実施形態では、合成部１５、診断信号分離部１０、診断信号合成部１１、受信合成信号分離部１６を備え、診断信号と送信信号との合成及び分離、又は診断信号と受信信号の合成及び分離を行っていたが、これらの信号の合成及び分離は必須ではない。
【００７０】
つまり、診断信号生成部１４により生成された診断信号を診断信号レベル検出部１７に直接出力してもよい。同様に、送信信号生成部１３により生成された送信信号を接続先ＴＣ１´の接続先モデム２´に直接送信し、接続先ＴＣ１´の接続先モデム２´から受信する受信信号を受信信号レベル・ＳＮ比検出部１８で直接受信しても良い。
【００７１】
また、送信回路９及び受信回路１２は、ソフトウェアで構成しても同様の効果を得ることが可能である。
【００７２】
本発明に係る実施形態によれば、ＴＣと制御所との通信や、ＴＣ同士の通信において、異常が発生した場合に、異常発生場所を特定可能とするＴＣ及びＴＣ用モデムを提供することが可能である。
【００７３】
以上、本発明のいくつかの実施形態について説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことが出来る。これら実施形態やその変形は、発明の範囲や要旨に含まれると共に、特許請求の範囲に記載された発明とその均等の範囲に含まれる。
【符号の説明】
【００７４】
１…遠方監視制御装置（ＴＣ）
２…モデム
３…演算部
４…外部インターフェース（外部ＩＦ）
５…伝送回線
６…ネットワーク
７−１、７−２…外部機器
８…演算部インターフェース（演算部ＩＦ）
９…送信回路
１０…診断信号分離部
１１…診断信号合成部
１２…受信回路
１３…送信信号生成部
１４…診断信号生成部
１５…合成部
１６…受信合成信号分離部
１７…診断信号レベル検出部
１８…受信信号レベル・ＳＮ比検出部
１９…判断部
２０…メモリ
２１…内部時計
【図１】
2012054722.tif 000003
【図２】
2012054722.tif 000004
【図３】
2012054722.tif 000005
【図４】
2012054722.tif 000006
【図５】
2012054722.tif 000007
【図６】
2012054722.tif 000008